(57)【特許請求の範囲】
【請求項１】
表示装置の表面にタッチパネルが設けられ、該表示装置に表示される文字や図形等のオブジェクトに対して、操作者の指が接触することにより当該オブジェクトを活性化状態とし、その後に解放されると、該接触したオブジェクトに対応する処理を実行するタッチパネル入力方法において、
オブジェクトに対応する第１領域と、その周囲に形成される第２領域を設定し、
前記第２領域内でのタッチに基づいて前記オブジェクトを活性状態に表示し、
前記第１領域内でのタッチ解除に基づいて前記オブジェクトに割り当てられた処理を実行し、
前記第２領域でのタッチまたは第１領域から第２領域へのタッチ位置の移動に対応して、当該タッチ位置を含むようにオブジェクトを変形表示するとともに当該第２領域でのタッチ解除に基づいて前記オブジェクトに割り当てられた処理を実行し、
前記第２領域外へのタッチ位置の移動にともなって、前記オブジェクトの活性化状態を解除するとともに、前記オブジェクトの変形表示を元の状態に復帰させる
ことを特徴とするタッチパネル入力方法。
【請求項２】
表示装置の表面にタッチパネルが設けられ、該表示装置に表示される文字や図形等のオブジェクトに対して、操作者の指が接触することにより当該オブジェクトを活性化状態とし、その後に解放されると、該接触したオブジェクトに対応する処理を実行するタッチパネル入力方法において、
オブジェクトに対応する第１領域と、その周囲に形成される第２領域を設定し、
前記第１領域内でのタッチに基づいて前記オブジェクトを活性状態に表示し、
前記第１領域内でのタッチ解除に基づいて前記オブジェクトに割り当てられた処理を実行し、
前記第１領域から第２領域へのタッチ位置の移動に対応して、当該タッチ位置を含むようにオブジェクトを変形表示するとともに当該第２領域でのタッチ解除に基づいて前記オブジェクトに割り当てられた処理を実行し、
前記第２領域外へのタッチ位置の移動にともなって、前記オブジェクトの活性化状態を解除するとともに、前記オブジェクトの変形表示を元の状態に復帰させる
ことを特徴とするタッチパネル入力方法。
【発明の詳細な説明】
【技術分野】
【０００１】
本発明は、表示装置の表面にタッチパネルを備え、該表示装置に表示される文字や図形等のオブジェクトに対して、操作者の指が接触（タッチ）することにより当該オブジェクトを活性化状態とし、その後に解放されると、該接触したオブジェクトに対応する処理を実行するタッチパネル入力方法に関するものである。
【背景技術】
【０００２】
表示画面の表面にタッチパネルを備えたタッチパネルの入力方法は広く普及している。このタッチパネルの入力方法では、画面上に表示されているボタンなどのオブジェクトの画面表示位置に操作者の指がタッチすると、該オブジェクトに割り当てられた処理が実行されるようになっている。このタッチパネルの入力にあたっては、タッチパネルにタッチした位置に対応するオブジェクトに割りあてられる処理をタッチと同時に実行するものと、タッチした指が離れる位置座標に対応するオブジェクトに割り当てられる処理を実行するものの２つの方式がある。 
前記第１の従来例ではタッチに伴って処理が実行されるので誤操作しやすいために、第２の従来例の方が確認してから離すことができるので有利である。しかし、この従来例では、タッチをキャンセルする方法がなかった
そこで、第３の従来例として、タッチ時のオブジェクトと解放時のオブジェクトとが等しい場合にのみイベントに割り当てられた処理を実行させる方法が提案されている。
【０００３】
【特許文献１】特開平９−６２４４６号公報
【発明の開示】
【発明が解決しようとする課題】
【０００４】
前記第３の従来例によれば、タッチしたオブジェクトの領域から少しでも外れた位置で指を離すと、タッチ事態が解除される。また、この第３の従来例では、タッチにともなってタッチオブジェクトの状態を変化させるので、タッチした時点でオブジェクトの状態変化を判断して、誤っていればオブジェクトの領域からタッチした指をずらして離すことで、選択行為が解除される。しかし、この従来例では、タッチしたことがオブジェクトの変化で識別できるものの、指を離す位置がオブジェクトの外か否かの識別が分かりづらい課題がある。特に、この種のタッチパネルには実際にタッチしている位置と利用者が目で認識する位置との視差が生じやすい課題があるので、この課題を解決するためには、離す指をオブジェクトから大きく離して行わなければならない
そこで、この発明の目的とするころは、利用者が誤操作をし難いタッチパネルの入力方法を提供することにある。
【課題を解決するための手段】
【０００５】
本発明は、前記目的を達成するために、表示装置の表面にタッチパネルが設けられ、該表示装置に表示される文字や図形等のオブジェクトに対して、操作者の指が接触することにより当該オブジェクトを活性化状態とし、その後に解放されると、該接触したオブジェクトに対応する処理を実行するタッチパネル入力方法において、オブジェクトに対応する第１領域と、その周囲に形成される第２領域を設定し、
前記第２領域内でのタッチに基づいて前記オブジェクトを活性状態に表示し、前記第１領域内でのタッチ解除に基づいて前記オブジェクトに割り当てられた処理を実行し、前記第２領域でのタッチまたは第１領域から第２領域へのタッチ位置の移動に対応して、当該タッチ位置を含むようにオブジェクトを変形表示するとともに当該第２領域でのタッチ解除に基づいて前記オブジェクトに割り当てられた処理を実行し、前記第２領域外へのタッチ位置の移動にともなって、前記オブジェクトの活性化状態を解除するとともに、前記オブジェクトの変形表示を元の状態に復帰させる。
【発明の効果】
【０００６】
本発明によれば、利用者が誤操作をし難いタッチパネルの入力方法を提供することができる。
【発明を実施するための最良の形態】
【０００７】
以下、図１から図４を参照して、この発明に係るタッチパネルの入力方法を具体的に説明する。なお、同一の部位や方向などは同一符号を持って示し、重複した説明を省略する。
【０００８】
先ず、図１から図３を参照して、この実施の形態に係る入力方法を説明する。図１は、この実施の形態に係るタッチパネルの操作説明図である。図２は、このタッチパネルを動作させる動作環境の装置ブロック図である。図３は、動作フロー図である。
図２において、このタッチパネル２２は、極一般的なパソコンや現金自動預入機（ＡＴＭ）や各種の自動機で採用することができる。図２は、このタッチパネル２２を動作させるパソコンのブロック図である。このパソコンは、表示装置２１と、この表示装置２１の表示画面上に配置されるタッチパネル２２と、前記表示装置２１で表示する各種データを格納する記憶装置２３と、このパソコンを統括的に制御する制御部２０と、前記タッチパネル２２の操作にともなって処理を実行する実行装置２４とを含んで構成される。
この実施の形態で採用するタッチパネル２２は、表示装置２１に表示される文字や図形等のオブジェクトに対して、操作者の指が接触することにより当該オブジェクトを活性化状態に表示し、その後に解放されると、該接触したオブジェクトに対応する処理を実行するタッチパネルの入力方法を採用している。
【０００９】
そして、この実施の形態の大きな特徴は、図１に示すように、表示画面上に、操作ボタンなどのオブジェクト３に対応する第１領域１と、その周囲に形成される第２領域２を設定し、前記第２領域２内でのタッチに基づいて前記オブジェクト３を活性状態に表示し、第１領域１内でのタッチ解除に基づいて前記オブジェクト３に割り当てられた処理を実行し、前記第２領域２でのタッチに対応して、当該タッチ位置を含むようにオブジェクト３を変形表示するとともに当該第２領域２でのタッチ解除に基づいて前記オブジェクトに割り当てられた処理を実行し、前記第２領域２外へのタッチ位置の移動にともなって、前記オブジェクト３の活性化状態を解除するとともに、前記オブジェクト３の変形表示を元の状態に復帰させる点である。
【００１０】
以下、図３の動作フロー図を元に、図１のタッチパネルの操作説明図を参照して、このタッチパネルの入力方法を具体的に説明する。図１及び図３において、先ず、制御部２０は、前記第２領域２内で指などがタッチされたか否かを監視している（ステップ１０１）。制御部２０は、第２領域２内でタッチが行われるとオブジェクト３を、反転表示や強調表示などを行って活性化状態とする（ステップ１０２）。次に、制御部２０は、タッチされた位置が第１領域１内であるかを判定し（ステップ１０３）、タッチ位置が第１領域１内であれば、該タッチされた指が離れたか否かを監視する（ステップ１０４）。そして、タッチされた指が離れた場合は、このオブジェクト３に割り当てられている処理を実行する(ステップ１０５)。ここで、ステップ１０４で指が離れないのであればステップ１０３に移行する。
【００１１】
このように、この実施の形態では、図１（ａ）図のように、表示画面に表示されるオブジェクト３にタッチすると、タッチされることによりオブジェクト３が活性化状態になり、この状態で、指を離すことで、このオブジェクト３に割り当てられている処理が実行される。
【００１２】
一方、前記ステップ１０３において、タッチ位置が第１領域１にないと判定された場合は、このタッチ位置は第２領域２となる。この第２領域２にタッチ位置があると判定すると、前記制御部２０は、このタッチ位置を含むようにオブジェクト３を変形表示させる。図１（ｂ）図は、前記オブジェクト３の変形表示の一例を示したものである。図1（ｂ）図に示すように、この実施の形態では、通常のオブジェクト３はトラック形状を備えて表示される。この状態でタッチ位置Ｑが第２領域２にあると制御部２０が判定すると、制御部２０はオブジェクト３のタッチ位置Ｑ側の端部がタッチ位置Ｑを含むようにオブジェクト３を引き伸ばして変形表示させる。この実施の形態では、前記変形表示は、オブジェクトの中心Ｐに対して対称の変形を行わせる。このオブジェクト３が変形表示されることにより、利用者はオブジェクト３の外周をタッチしたと認識することができる。
【００１３】
次に、前記制御部２０は、ステップ１０６のオブジェクト３が変形表示された状態でも指が離れたか否かを判定している(ステップ１０７)。この状態で、指が離されると、ステップ１０５の実行処理を行う。また、前記制御部２０は、変形表示の状態からタッチした指が第２領域２外へ移動したか否かも監視している(ステップ１０８)。この状態で、タッチした指が第２領域２外へ移動すると、制御部２０は、オブジェクト３の活性化状態を解除しつつ変形表示を元に復帰させてタッチされたことをキャンセルし（ステップ１０９）、作業を終了する。一方、ステップ１０８において、タッチされた指が第２領域２外へ移動しなければステップ１０３へ移行する。
【００１４】
図１（ｃ）図はタッチした指が第２領域２外へ移動した状態を示している。この状態では、オブジェクト３は活性化状態が解除されるとともに、（ｂ）図の引き伸ばされた状態から元の（ｃ）図のトラック形状に復帰するように変形させる。この際、オブジェクト３を（ｂ）図から（ｃ）図の形状にそのまま復帰させてもよいが、この実施の形態では、（ｄ）図のように、引き伸ばされた方向と対向する方向にオブジェクト３が圧縮され、中心Ｐに対して９０度ずれた方向では引き伸ばされるように変形表示させる。この変形量は、（ｂ）図の変形量となるように制御する。そして、オブジェクト３は、（ｄ）図の変形表示を経て（ｅ）図、更に（ａ）図に示すよな元のトラック形状に復帰するように表示される。
【００１５】
このように、この実施の形態では、タッチ位置が第２領域２に存在すると、その位置を含むようにオブジェクト３を変形表示させる。例えば、タッチ位置が第１領域１から第２領域２に移動すると、この移動にともなって、オブジェクト３の端部がタッチする指に引っ張られるように変形表示される。そして、このタッチした指が第２領域２から外れると、端部が引っ張られたオブジェクト３が開放されたように、元に戻る変形動作を行う。この変形の印象は、ゴムまりが引っ張られて元に戻るような変形操作を行わせる。
【００１６】
この変形動作により、利用者はタッチしたオブジェクトが解除されたことを視覚的に認識することができる。なお、このオブジェクト３の変形と復帰動作は一実施形態であり、これに限定されるものではない。
【００１７】
次に、図４を参照して、応用例を説明する。図４に示す応用例は、タッチ位置を認識する領域の外側に離された位置を認識する領域を設定したものである。即ち、この応用例では、第１領域１をタッチ位置認識領域とし、その外周に設定される第２領域２を指を離す領域とした点で前記第１の実施の形態と相違する。ここでは、重複した説明を省略するために、前記第１の実施の形態と相違する点のみ説明する。
具体的には、制御部２０は、ステップ２０１において、第１領域１にタッチされることを監視している
このため、第２領域２にタッチしても、オブジェクト３は活性化状態にならない。この違いのため、制御部は、ステップ２０３では、タッチ位置が第２領域２へ移動したか否かを監視することとなる。この他のステップは前記第１の実施の形態と同じである。
【図面の簡単な説明】
【００１８】
【図１】この実施の形態に係るタッチパネルの操作説明図である。
【図２】このタッチパネルを動作させる動作環境の装置ブロック図である。
【図３】動作フロー図である。
【図４】他の応用例の動作フロー図である。
【符号の説明】
【００１９】
１…第１領域、２…第２領域、３…オブジェクト、
２０…制御部、２１…表示装置、２２…タッチパネル、２３…記憶装置、２４…実行装置。
【図１】
0004677941.tif 000002
【図２】
0004677941.tif 000003
【図３】
0004677941.tif 000004
【図４】
0004677941.tif 000005